(57)【要約】【課題】リール本体の小型化を図りつつ、スプール往復動装置の耐久性の強化を図る。【解決手段】ハンドル軸５の下方においてボディ１１の内部に配設され、カバー部材４０を後部開口部１７の縁部に圧接固定するねじ部材３０と、スプール往復動装置５０に備わり、スプール軸８の後端部に取り付けられた摺動子５２と、ハンドル軸５の下方においてボディ１１の内部に設けられ、摺動子５２を前後方向に案内する案内部１１ｊと、摺動子５２の下部から下方に向けて延在し、下端部が案内部１１ｊに案内される延在部５２ｃと、を備える。ねじ部材３０は、案内部１１ｊの上側において、延在部５２ｃに形成された空間部に挿通される構成とした。【選択図】図３
2020162537.tif 000002
【特許請求の範囲】
【請求項１】
側部開口部が形成され、内部にスプール往復動装置が収容されたボディと、
前記側部開口部を塞ぐ蓋部材と、
前記ボディの後部に形成され、前記スプール往復動装置の構成部材の少なくとも一部を受け入れ可能な後部開口部と、
前記後部開口部を塞ぐカバー部材と、を備え、前記ボディと前記蓋部材とでハンドル軸を回転自在に支持する魚釣用スピニングリールであって、
前記ハンドル軸の下方において前記ボディの内部に配設され、前記カバー部材を前記後部開口部の縁部に圧接固定するねじ部材と、
前記スプール往復動装置に備わり、スプール軸の後端部に取り付けられた摺動子と、
前記ハンドル軸の下方において前記ボディの内部に設けられ、前記摺動子を前後方向に案内する案内部と、
前記摺動子の下部から下方に向けて延在し、下端部が前記案内部に案内される延在部と、を備え、
前記ねじ部材は、前記案内部の上側において、前記延在部に形成された空間部に挿通されていることを特徴とする魚釣用スピニングリール。
【請求項２】
前記ねじ部材は、前記空間部を仕切る前記延在部の内面に対して非接触状態に挿通されていることを特徴とする請求項１に記載の魚釣用スピニングリール。
【請求項３】
前記カバー部材の内面には、前記ねじ部材が螺合する取付部が設けられており、
前記ねじ部材は、前記ボディの前部側から前記ボディの内部に挿入され、前記空間部を通じて前記取付部に螺合されることを特徴とする請求項１または請求項２に記載の魚釣用スピニングリール。
【発明の詳細な説明】
【技術分野】
【０００１】
本発明は、魚釣用スピニングリールに関する。
【背景技術】
【０００２】
魚釣用スピニングリールは、ボディの内部に、スプールに釣糸を平行に巻回するためのスプール往復動装置を備えている。スプール往復動装置は、一般に、ハンドル軸上の歯車に噛合する連動歯車と、連動歯車に設けられた偏芯突起と、偏芯突起が係合する案内溝が形成された摺動子と、摺動子を案内するガイド軸と、を備えている。摺動子はスプール軸の後端部に固定されている。
【０００３】
一方、魚釣り操作性や携帯性向上のために、リール本体の小型化、軽量化を図った魚釣用スピニングリールが知られている（特許文献１参照）。
特許文献１の魚釣用スピニングリールでは、リール本体の後部に後部開口部が形成されている。後部開口部は、スプール往復動装置の構成部材の一部を受け入れ可能である。このような構成とすることで、スプール往復動装置の前後ストロークの機能を低下させることなくリール本体の小型化、軽量化が可能となる。スプール往復動装置のガイド軸は、後部開口部を通じて後方に延在しており、後部開口部を覆うカバー部材に支持されている。
【先行技術文献】
【特許文献】
【０００４】
【特許文献１】特開２０１７−１０８７１４号公報
【発明の概要】
【発明が解決しようとする課題】
【０００５】
ところで、実釣時に釣糸をスプールに巻き取る際には、釣糸に負荷が加わった状態となっているために、軸回り方向の外力がスプールに加わる。この軸回り方向の外力は、スプール軸を介して摺動子を傾ける方向の外力として作用し、摺動子の前後往復動の範囲に亘って、リール本体の前後方向に延在するガイド軸に対して主に左右方向の外力として作用する。
【０００６】
特許文献１の魚釣用スピニングリールでは、ガイド軸の後端部がカバー部材に支持されている構成であるため、前記した軸回り方向の外力がカバー部材にも作用する。カバー部材に外力が作用すると、カバー部材に変形が生じたり、リール本体に対するカバー部材の取付位置が所定の位置からズレたりするおそれがあった。このように、カバー部材に変形やズレ等が生じると、その影響で摺動子の円滑な前後動が得られなくなるおそれがあるとともに、スプール往復動装置の耐久性も低下してしまう。
【０００７】
本発明は、前記課題を解決するためになされたものであり、リール本体の小型化を図りつつ、スプール往復動装置の耐久性の強化を図ることができる魚釣用スピニングリールを提供することを課題とする。
【課題を解決するための手段】
【０００８】
前記課題を解決するため、本発明に係る魚釣用スピングリールは、側部開口部が形成され、内部にスプール往復動装置が収容されたボディと、前記側部開口部を塞ぐ蓋部材と、を備えている。また、魚釣用スピニングリールは、前記ボディの後部に形成され、前記スプール往復動装置の構成部材の少なくとも一部を受け入れ可能な後部開口部と、前記後部開口部を塞ぐカバー部材と、を備え、前記ボディと前記蓋部材とでハンドル軸を回転自在に支持している。そして、魚釣用スピニングリールは、前記ハンドル軸の下方において前記ボディの内部に配設され、前記カバー部材を前記後部開口部の縁部に圧接固定するねじ部材と、前記スプール往復動装置に備わり、スプール軸の後端部に取り付けられた摺動子と、前記ハンドル軸の下方において前記ボディの内部に設けられ、前記摺動子を前後方向に案内する案内部と、前記摺動子の下部から下方に向けて延在し、下端部が前記案内部に案内される延在部と、を備えている。前記ねじ部材は、前記案内部の上側において、前記延在部に形成された空間部に挿通されている。
【０００９】
この魚釣用スピニングリールによれば、摺動子は、その下部から下方に向けて延在する延在部を備えており、延在部がボディの内部に設けられた案内部に案内されるので、スプール軸を中心とする軸回り方向の外力が摺動子に作用した場合に、摺動子が傾くのを好適に防止できる。したがって、スプール往復動装置の耐久性の強化を図ることができる。
また、摺動子の延在部を利用して、カバー部材を固定するためのねじ部材を挿通できるので、別途、ねじ部材の挿通スペースを設ける必要がなくなり、リール本体の小型化を図ることができる。
【００１０】
また、前記ねじ部材は、前記空間部を仕切る前記延在部の内面に対して非接触状態に挿通されていることが好ましい。
このように構成することによって、スプール軸を中心とする軸回り方向の外力が摺動子に作用した場合に、この外力がねじ部材に作用するのを防止できる。これによって、ねじ部材を介してカバー部材に外力が作用することがなく、カバー部材の変形やカバー部材の取り付位置が所定の位置からズレたりするのを防止できる。
【００１１】
また、前記カバー部材の内面には、前記ねじ部材が螺合する取付部が設けられており、前記ねじ部材は、前記ボディの前部側から前記ボディの内部に挿入され、前記空間部を通じて前記取付部に螺合されることが好ましい。
このように構成することによって、ねじ部材をボディの前部側から組み付けることができ、カバー部材の外面にねじ部材が露出するのを防止できる。
【発明の効果】
【００１２】
本発明では、リール本体の小型化を図りつつ、スプール往復動装置の耐久性の強化を図ることができる魚釣用スピニングリールが得られる。
【図面の簡単な説明】
【００１３】
【図１】実施形態に係る魚釣用スピニングリールの全体構成を示す左側面図である。
【図２】ボディ内に備わる構成部材を示す断面図である。
【図３】カバー部材を取り外したリール本体の後面図である。
【図４】ねじ部材を示す拡大側面図である。
【図５】要部の構成を示す拡大断面図である。
【発明を実施するための形態】
【００１４】
以下、魚釣用スピニングリールの実施形態について図面を参照して説明する。以下の説明において、「前後」「上下」を言うときは、図１に示した方向を基準とし、「左右」を言うときは、図３に示す方向を基準とする。
【００１５】
はじめに魚釣用スピニングリール１の基本構造について説明する。
図１に示すように、魚釣用スピニングリール１は、ハンドル５ａを備えるリール本体１０と、ハンドル５ａの巻き取り操作により回転するロータ２と、ハンドル５ａの巻き取り操作により前後方向に往復運動するスプール３と、を備えている。
【００１６】
リール本体１０は、左側に向って開口する円形の側部開口部１６が形成されたボディ１１を備えている。また、リール本体１０は、ボディ１１から上方に延びて上端に釣竿取付脚１２ａが形成された脚部１２を備えている。側部開口部１６には、円形の蓋部材１４が螺合されて固定されている。
ボディ１１の後部には、図示しないシール部材を介してカバー部材４０が装着されている。
【００１７】
ボディ１１内には、図２に示すように、収容空間Ｓ１が形成されている。収容空間Ｓ１には、駆動軸筒７及びスプール軸８が挿入されている。駆動軸筒７は、ボディ１１に回転自在に支持されている。
駆動軸筒７の前端７ａ及びスプール軸８の前端８ａは、図２に示すように、ボディ１１の前部１１ａの前方に突出している。そして、駆動軸筒７の前端にロータ２（図１参照）が取り付けられ、スプール軸８の前端８ａにスプール３（図１参照）が取り付けられている。
一方、駆動軸筒７の後端７ｂ及びスプール軸８の後端８ｂは、ボディ１１内に配置されている。駆動軸筒７の後部には、ピニオンギャ７ｃが一体に形成されている。スプール軸８の後端８ｂには、スプール往復動装置５０の摺動子５２が図示しないねじによって一体に固定されている。
【００１８】
ボディ１１は、左側に向って開口する有底箱状（筒状）に形成されており、筒状の筒部１５と、筒部１５の右側を閉塞する右壁部２１と、を備えている。
【００１９】
筒部１５の左端部は、側部開口部１６を構成している。側部開口部１６の内側には、蓋部材１４から右側に突出する図示しない円筒状の挿入部が挿入されている。側部開口部１６の内周面には、図示しない雌ねじ部が形成されている。また、雌ねじ部は、挿入部の外周面に形成された図示しない雄ねじ部と螺合しており、ボディ１１と蓋部材１４とが一体になっている。
【００２０】
ボディ１１内には、ハンドル５ａの巻き取り操作により駆動軸筒７とスプール軸８を駆動させるための構成として、左右方向に延在するハンドル軸５と、ハンドル軸５に連結するドライブギャ６及び歯車６ａとが収容されている。また、ボディ１１内には、スプール往復動装置５０が収容されている。
【００２１】
ハンドル軸５は、ボディ１１の右壁部２１と、蓋部材１４（図１参照）とを貫通している。ハンドル軸５の端部は、ハンドル５ａに設けられた図示しない連結軸と螺合しており、ハンドル５ａを巻き取り操作すると、ハンドル軸５が回転軸Ｏ１回りに回転する。
【００２２】
ドライブギャ６は、前方に配置されたピニオンギャ７ｃに噛合する歯車であり、中央部がハンドル軸５に貫通され、ハンドル軸５と一体に回転軸Ｏ１回りに回転する。
以上から、ハンドル５ａを巻き取り操作すると、ハンドル軸５及びドライブギャ６が回転し、その回転駆動力がピニオンギャ７ｃに伝達し、駆動軸筒７及びロータ２が回転する。
【００２３】
歯車６ａは、ドライブギャ６と一体に形成された歯車である。歯車６ａは、スプール往復動装置５０の連動歯車５４に噛合し、ハンドル５ａの巻き取り操作による回転駆動力を連動歯車５４に伝達する。
【００２４】
右壁部２１は、前後方向及び上下方向に延在する板状の壁部であり、側面視で回転軸Ｏ１を中心とする略円形状に形成されている。
右壁部２１の内側面（左側面）には、ボディ１１の強度を向上させるため、左方に突出するリブ２２が形成されている。リブ２２は、軸受７ｄを介して駆動軸筒７の後端７ｂを支持している。また、リブ２２は、カラー８ｃを介してスプール軸８を摺動自在に支持している。
【００２５】
スプール往復動装置５０は、摺動子５２と、連動歯車５４とを備え、ボディ１１の前後方向に延びる上部案内部１１ｇ及び下部案内部１１ｊに沿って、摺動子５２が前後方向に移動するように構成されている。
【００２６】
摺動子５２は、右側面に案内溝５３が形成されている。連動歯車５４は、案内溝５３に係合する偏芯突部５５を備えている。
摺動子５２は、スプール軸８の後端８ｂに固定される基部５２ａと、基部５２ａの後端上部に連続して上方に延出する上延在部５２ｂと、基部５２ａの前端下部に連続して下方に延在する下延在部５２ｃと、を備えている。上延在部５２ｂは、基部５２ａに対して後側に位置しており、また、下延在部５２ｃは、基部５２ａに対して前側に位置している。つまり、摺動子５２は、基部５２ａを中心として、側面視でスプール軸８の後端８ｂの後方上部から前方下部に向けて斜めに延在しており、下り階段状を呈している。
【００２７】
上延在部５２ｂの上端部には、軸部５２ｂ１が上方へ向けて突設されている。軸部５２ｂ１には、環状の支持部材５２ｂ２が回転可能に抜け止め支持されている。支持部材５２ｂ２の外周溝には、Ｏリング等からなる弾性体５２ｂ３が外嵌されている。
弾性体５２ｂ３は、ボディ１１の右壁部２１に形成された上部案内部１１ｇに接触可能に対向している。上部案内部１１ｇは、ハンドル軸５の上側領域に位置し、弾性体５２ｂ３が接触可能な左面が平らに形成されている。
【００２８】
下延在部５２ｃの下端部には、前後に一対の軸部５２ｃ１が下方へ向けて突設されている。各軸部５２ｃ１には、転がり軸受５２ｃ２が抜止されるように外嵌されている。
各転がり軸受５２ｃ２は、ボディ１１の下側壁１１ｈに形成された下部案内部１１ｊに当て付いている。下部案内部１１ｊは、ハンドル軸５の下側領域に位置し、転がり軸受５２ｃ２が当て付く左面が平らに形成されている。各転がり軸受５２ｃ２は、釣糸の巻取り時にスプール３及びスプール軸８を介して摺動子５２に加わる軸回り方向の外力を受けて下部案内部１１ｊに当接し、摺動子５２を前後方向に円滑に転がり案内する。下部案内部１１ｊは、特許請求の範囲における「案内部」に相当する。
【００２９】
また、弾性体５２ｂ３は、上部案内部１１ｇと接触することによる変形作用により、スプール軸８を中心とした摺動子５２の回転方向のガタを吸収することができ、転がり軸受５２ｃ２の軽快な転がり案内作用を助長する。なお、弾性体５２ｂ３は、上部案内部１１ｇに常時接触させて各転がり軸受５２ｃ２に予圧を付与することが好ましい。これによって、ガタをより好適に吸収することができる。
【００３０】
なお、下延在部５２ｃ（転がり軸受５２ｃ２）は、基部５２ａに対して前側に位置しており、釣糸を介して外力を受けるスプール３により近づいた位置に配設されている。このため、基部５２ａの直下に転がり軸受５２ｃ２を配置した場合に比べて、摺動子５２に加わる軸回り方向の外力を下部案内部１１ｊにより好適に逃がすことができる。
【００３１】
下延在部５２ｃは、特許請求の範囲における「案内部に案内される延在部」に相当する。下延在部５２ｃには、貫通孔５２ｃ３が形成されている。貫通孔５２ｃ３は、下部案内部１１ｊの上側において下延在部５２ｃを前後方向に貫通している。貫通孔５２ｃ３の内径は、後記する下側取付ねじ部材３０の外径よりも大径である。具体的には、下側取付ねじ部材３０の後記する当接部３５を非接触状態に挿通可能に大径に形成されている（図５参照）。貫通孔５２ｃ３の内部空間は、特許請求の範囲における「空間部」に相当する。空間部は、貫通孔５２ｃ３の内面で仕切られる。
【００３２】
以上から、ハンドル５ａの巻き取り操作によってハンドル軸５及び歯車６ａが回転すると、連動歯車５４が回転する。そして、連動歯車５４の偏芯突部５５が摺動子５２の案内溝５３の内面を押圧し、回転運動が前後動に変換されて摺動子５２とスプール軸８（スプール３）が前後方向に往復運動する。
【００３３】
カバー部材４０は、樹脂製の部材からなる。カバー部材４０は、側面視で略三日月状に形成されている（図１参照）。カバー部材４０は、上側取付ねじ２５及び下側取付ねじ部材３０の上下２つの金属製のねじ部材によって、ボディ１１（筒部１５）の後部開口部１７を覆うように固定されている。
【００３４】
カバー部材４０の内面は、後方に窪んでいる。言い換えると、カバー部材４０は、前方に向って開口する有底筒状を呈し、カバー部材４０の前面側に空間が形成されている。これよって、後部開口部１７を通じてボディ１１内から後方に突出するスプール往復動装置５０の摺動子５２の一部や連動歯車５４の一部をカバー部材４０内に収容することができる。
【００３５】
カバー部材４０の上部内面には、上ボス部４１が前方（脚部１２側）へ向けて突出形成されている。上ボス部４１には、金属製の雌ねじ部材４３がインサート成形されている。雌ねじ部材４３には、ボディ１１の前面側から挿入された上側取付ねじ２５が螺合される。
【００３６】
カバー部材４０の下部内面には、取付部としての下ボス部４２が前方へ向けて突出形成されている。下ボス部４２にも金属製の雌ねじ部材４３がインサート成形されている。雌ねじ部材４３には、下側取付ねじ部材３０の雄ねじ部３３が螺合される。雌ねじ部材４３の前面は、下ボス部４２の前面と面一に露出している。
【００３７】
下側取付ねじ部材３０は、図４に示すように、ボディ１１の前後方向に全長が大きく形成されたねじ部材である。下側取付ねじ部材３０は、ボディ１１を貫通する軸部３１と、軸部３１の一端（前端）に設けられ軸部３１が他端側（後端）に移動するのを規制する頭部３２とを備えている。また、下側取付ねじ部材３０は、軸部３１の他端（後端）に設けられた雄ねじ部３３と、雄ねじ部３３の前側近傍部位に設けられた、雄ねじ部３３よりも大径に形成された当接部３５とを備えている。
【００３８】
軸部３１は、ボディ１１の挿通孔１１ｍよりも小径とされた中間部分を備えている。軸部３１の一端側には、中間部分よりも大径とされた太部３４が形成されている。
【００３９】
頭部３２は、太部３４よりも大径に形成されている。頭部３２は、ボディ１１の前部１１ａに形成された凹部１１ｋに位置している。凹部１１ｋは、その前方に配設される磁気シール機構１１ｅによって液密にシールされている。
【００４０】
雄ねじ部３３は、カバー部材４０の下ボス部４２に備わる雌ねじ部材４３に螺合している。雄ねじ部３３の後端部には、後方へ延在する小径棒状の案内部３６が形成されている。案内部３６は、螺合時に、雌ねじ部材４３の内側に挿通され、雄ねじ部３３を雌ねじ部材４３に螺合する際のガイドとして機能する。
【００４１】
太部３４の外径は、円柱状を呈しており、ボディ１１の挿通孔１１ｍの内径に対応した大きさとなっている。太部３４の後部は、後方へ向けてテーパー状に窄まっており、挿通孔１１ｍに挿入し易くなっている。
【００４２】
当接部３５は、軸部３１に一体成形されており、軸部３１の雄ねじ部３３の外径よりも大径の円形に形成されている。当接部３５は前方へ向けてテーパー状に窄まる略円錐形状を呈している。当接部３５の後面３５ａは雄ねじ部３３側に対向しており、当接部３５の後面３５ａには、カバー部材４０の下ボス部４２の前面（雌ねじ部材４３の前面）が当て付けられている。当接部３５の後面３５ａは断面リング状とされており表面が平らに形成されている。
なお、当接部３５は、略円錐形状を呈するものに限られることはなく、螺合時に下ボス部４２の前面が当て付けられる部位を含む形状であれば、種々の形状のものを採用し得る。
【００４３】
このような下側取付ねじ部材３０は、ボディ１１の前方から凹部１１ｋに挿入され、挿通孔１１ｍに挿通される。雄ねじ部３３（当接部３５）は、摺動子５２の貫通孔５２ｃ３を貫通してカバー部材４０の雌ねじ部材４３に螺合される。下側取付ねじ部材３０を締め付けるとカバー部材４０の下ボス部４２が下側取付ねじ部材３０の当接部３５の後面３５ａに近づいて当て付けられ、カバー部材４０の下部がボディ１１にしっかりと固定される。つまり、下側取付ねじ部材３０がボディ１１に対して螺合される構造ではなく、螺着持における圧着力が当接部３５の後面３５ａによる度当てにより抑制される。したがって、ボディ１１の対応する部分を肉厚に形成する必要がない。これによって、ボディ１１の小型化及び軽量化が可能となり、キャスティングや巻き取り操作等の魚釣操作性が向上する。
【００４４】
以上説明した本実施形態では、摺動子５２は、その下部から下方に向けて延在する下延在部５２ｃを備えており、下延在部５２ｃがボディ１１の下部案内部１１ｊに案内される。したがって、スプール軸８を中心とする軸回り方向の外力が摺動子５２に作用した場合に、摺動子５２が傾くのを好適に防止できる。したがって、スプール往復動装置５０の耐久性の強化を図ることができる。
【００４５】
また、摺動子５２の前後往復動に支障なく下延在部５２ｃを利用して、カバー部材４０を固定するための下側取付ねじ部材３０を挿通できるので、別途、ねじ部材の挿通スペースを設ける必要がなくなり、リール本体１０の小型化を図ることができる。
【００４６】
また、下側取付ねじ部材３０は、下延在部５２ｃの貫通孔５２ｃ３に対して非接触状態に挿通されている。これによって、スプール軸８を中心とする軸回り方向の外力が摺動子５２に作用した場合に、この外力が下側取付ねじ部材３０に作用するのを防止できる。したがって、下側取付ねじ部材３０を介してカバー部材４０に外力が作用することがなく、カバー部材４０の変形やカバー部材４０の取り付位置が所定の位置からズレたりするのを防止できる。
【００４７】
また、下側取付ねじ部材３０は、ボディ１１の前部１１ａ側からボディ１１の内部に挿入され、貫通孔５２ｃ３を通じて下ボス部４２の雌ねじ部材４３に螺合される。したがって、下側取付ねじ部材３０をボディ１１の前部１１ａ側から組み付けることができ、カバー部材４０の外面に下側取付ねじ部材３０が露出するのを防止できる。
【００４８】
以上、本発明の実施形態について説明したが、本発明は、上記した実施形態に限定されることはなく、種々変形することが可能である。
例えば、前記実施形態では、摺動子５２の下延在部５２ｃに貫通孔５２ｃ３を設けて下側取付ねじ部材３０を空間部に挿通するように構成したが、これに限られることはなく、下延在部５２ｃの左側部の前後方向に開口部を延在する空間部としての凹部を設けて、この凹部内に下側取付ねじ部材３０を配置してもよい。この場合、下側取付ねじ部材３０は、凹部に対して非接触状態に配置される。つまり、凹部や貫通孔５２ｃ３は、下側取付ねじ部材３０との間に非接触状態で摺動子５２の前後往復動に干渉しない空間部となる所定の間隔を有するように形成されている。
【００４９】
また、下側取付ねじ部材３０は、カバー部材４０の後面側からボディ１１内に挿入されて、カバー部材４０を固定するものであってもよい。
【符号の説明】
【００５０】
１      魚釣用スピニングリール
５      ハンドル軸
１１    ボディ
１１ｊ  下部案内部（案内部）
１３    側部開口部
１４    蓋部材
１７    後部開口部
３０    下側取付ねじ部材（ねじ部材）
４０    カバー部材
５２    摺動子
５２ｃ３  貫通孔（空間部）
５２ｃ  下延在部（延在部）
５２ｃ  延在部
【図１】
2020162537.tif 000003
【図２】
2020162537.tif 000004
【図３】
2020162537.tif 000005
【図４】
2020162537.tif 000006
【図５】
2020162537.tif 000007